(57)【要約】【課題】  携帯電話機でのメールやゲームなどのボタン操作は片手で行う場合がほとんどであり、長時間操作すると携帯電話機を保持している手が疲れてしまう。アクセサリの携帯電話機用ストラップを利用して携帯電話機の片手保持を楽にする。【解決手段】  伸縮性のある部材を使用した携帯電話機用ストラップを携帯電話機上部のストラップ取り付け穴に取り付けておき、ストラップ他端に備えられた着脱自在の固定用フックを携帯電話機下部の端面に接続することで携帯電話機とストラップの間に手を入れられる。その手と携帯電話機はストラップの伸縮力で密着され携帯電話機の片手保持を楽にした。【選択図】図６
0003135778.tif 000002
【実用新案登録請求の範囲】
【請求項１】
携帯電話機上部のストラップ取り付け穴に取り付けられたストラップで、他端に携帯電話機下部の端面を挟むことのできる固定用フックを備えた携帯電話機用ストラップ。
【請求項２】
前記固定用フックを備えた携帯電話機用ストラップに伸縮性のあるストラップ部材を使用した請求項１に記載の携帯電話機用ストラップ。
【考案の詳細な説明】
【技術分野】
【０００１】
本考案は、携帯電話機を手に保持しやすくしたストラップに関する。
【背景技術】
【０００２】
従来の携帯電話機用ストラップは単なるアクセサリまたは携帯電話機の落下を防止するためのものでしかなかった。下記、特許文献１〜２に記載されたようなものがある。
【０００３】
アクセサリとして娯楽性を高めた携帯電話機用ストラップ。
【特許文献１】特開２０００−２３６３７０号公報  携帯電話機上部と下部の取り付け穴に繋いだストラップの携帯電話機落下防止方法。
【特許文献２】特開平１０−１６３６４０号公報
【考案の開示】
【考案が解決しようとする課題】
【０００４】
携帯電話機でのメールやゲームなどのボタン操作は片手で行う場合がほとんどであり、長時間操作すると携帯電話機を保持している手が疲れてしまう。
【０００５】
本考案は携帯電話機を片手で長時間操作しても手に保持しやすい機能を付加したアクセサリの携帯電話機用ストラップの提案をする。
【課題を解決するための手段】
【０００６】
本考案の請求項１は、携帯電話機上部のストラップ取り付け穴に取り付けられたストラップで、他端に携帯電話機下部の端面を挟むことのできる固定用フックを備えた携帯電話機用ストラップである。
【０００７】
また請求項２は、前記固定用フックを備えた携帯電話機用ストラップに伸縮性のあるストラップ部材を使用した請求項１に記載の携帯電話機用ストラップである。
【考案の効果】
【０００８】
本考案の携帯電話機用ストラップの一端を携帯電話機上部のストラップ取り付け穴に取り付けておき、ストラップのもう一方の固定用フックで携帯電話機下部の端面を挟んで連結することにより携帯電話機とストラップの間に手を入れることが可能となる。携帯電話機下部のストラップ取り付け穴は不要である。また、ストラップ部材に伸縮性のあるものを使用することにより携帯電話機と保持する手の密着性が向上しメールやゲームなどのボタン操作が片手で楽に出来る。
【考案を実施するための最良の形態】
【０００９】
図１、図２、図３に本考案の携帯電話機用ストラップの構成、図４、図５に固定用フック拡大斜視図、図６、図７に本考案の携帯電話機用ストラップの実施形態を示し、それぞれ説明する。
【００１０】
図１は本考案の携帯電話機用ストラップを携帯電話機上部のストラップ取り付け穴９に通して取り付けた通常状態。携帯電話機８のストラップとして上部取り付け部材１とストラップ本体２に固定用フック４を継ぐ連結部材３から成る。尚、連結部材３を省略してストラップ本体２を直接固定用フック４に接合してもよい。伸縮性のある部材は上記携帯電話機用ストラップの上部取り付け部材１またはストラップ本体２または固定用フック４を継ぐ連結部材３のどこに使用してもよいし全てに使用してもよい。組み合わせは自由である。素材は紐、ゴム紐、繊維、ストレッチ繊維、ゴム、樹脂、革、金属、金属系バネ、樹脂系バネなど何を使用してもよい。これらを複合したものでもよい。希望デザインにより自由選定できる。
【００１１】
前記携帯電話機用ストラップの素材選定をする際の具体例を挙げる。ストラップの上部取り付け部材１は携帯電話機上部のストラップ取り付け穴９に入る太さで、通常のストラップ用として市販されているタイプの紐でよいが耐久性のある頑丈なものが好ましい。ストラップ本体２は伸縮性のある素材としてゴム紐、ストレッチ繊維、ゴム、金属系バネ、樹脂系バネやこれらを複合したものを使用することが好ましい。連結部材３は上部取り付け部材１の素材と同様でもよいが、何を使用してもよい。尚、ストラップ本体２はストラップのデザイン上最も重要な部分となるため、ここに紐、繊維、樹脂、革、金属など伸縮性のない素材を使用する場合にはストラップの上部取り付け部材１か連結部材３、あるいはその双方にゴム紐、ストレッチ繊維、ゴム、金属系バネ、樹脂系バネなど伸縮性のあるものを使用する。次に、本携帯電話機用ストラップの上部取り付け部材１から連結部材３までの長さは伸縮性のある素材の選定によって異なるが、後述する携帯電話機８を手に保持しやすい機能を維持するため８０ミリメートルから１６０ミリメートルの間が好ましい。
【００１２】
図２は本考案の携帯電話機用ストラップを折りたたみ式携帯電話機８の携帯電話機上部のストラップ取り付け穴９に通して取り付けた通常状態で構成は前記同様である。
【００１３】
図３は本考案の携帯電話機用ストラップをスライド式携帯電話機８の携帯電話機上部のストラップ取り付け穴９に通して取り付けた通常状態で構成は前記同様である。
【００１４】
図４は固定用フック４の拡大斜視図である。その部材は携帯電話機下部の端面１０を挟むので携帯電話機本体を傷つけないものなら何でもよい。適合する素材の第一候補として柔軟性のあるプラスチック系樹脂を挙げる。尚、挟む機能を向上させるためにこの樹脂の中に金属フックを入れてもよい。あるいはその逆に金属クリップを利用し挟む部分にプラスチック系樹脂、ゴム、革、布などを接着カバーしてもよい。次に、この固定用フック４の挟みしろの寸法設定であるが、携帯電話機下部の端面１０を挟む際には携帯電話機８の厚みにより固定用フック４の挟みしろが異なる。挟みしろの設定は携帯電話機下部の端面１０が６ミリメートル厚前後の携帯電話機用、９ミリメートル厚前後の携帯電話機用、１２ミリメートル厚前後の携帯電話機用として３種類くらい作製し取り替えできるようにしておく。この固定用フック４は連結部材３を固定用フック連結穴５に通しても携帯電話機８との密着を損なわないよう固定用フック連結部溝６を有している。この固定用フック４の型式の変形例として図５のバネ７の力で挟むクリップ方式など工夫は自在である。
【００１５】
図６は本考案の携帯電話機用ストラップの固定用フック４を折りたたみ式携帯電話機８の携帯電話機下部の端面１０に挟み、携帯電話機８とストラップの間に手が入れられるようになった状態である。本考案機能を利用する際はこの状態で携帯電話機８とストラップの間に手を挟むように入れて携帯電話機８を保持するとボタン操作が楽になる。
【００１６】
図７は本考案の携帯電話機用ストラップの固定用フック４をスライド式携帯電話機８の携帯電話機下部の端面１０に挟み、携帯電話機８とストラップの間に手が入れられるようになった状態である。機能は前記同様である。
【００１７】
尚、前述の折りたたみ式携帯電話機やスライド式携帯電話機とは別の型式の携帯電話機でも、携帯電話機上部のストラップ取り付け穴９を有しているものは携帯電話機下部の端面１０の厚みに応じた固定用フック４を備えることで同様な利用が可能である。
【図面の簡単な説明】
【００１８】
【図１】本考案の携帯電話機用ストラップを携帯電話機上部のストラップ取り付け穴に取り付けた状態の構成図。
【図２】本考案の携帯電話機用ストラップを折りたたみ式携帯電話機に取り付けた通常状態の構成図。
【図３】本考案の携帯電話機用ストラップをスライド式携帯電話機に取り付けた通常状態の構成図。
【図４】固定用フック拡大斜視図。
【図５】固定用フックの変形例、クリップ方式の拡大斜視図。
【図６】本考案の携帯電話機用ストラップを折りたたみ式携帯電話機にて付加機能を実施した形態図。
【図７】本考案の携帯電話機用ストラップをスライド式携帯電話機にて付加機能を実施した形態図。
【符号の説明】
【００１９】
１  上部取り付け部材
２  ストラップ本体
３  連結部材
４  固定用フック
５  固定用フック連結穴
６  固定用フック連結部溝
７  バネ
８  携帯電話機
９  携帯電話機上部のストラップ取り付け穴
１０携帯電話機下部の端面
【図１】
0003135778.tif 000003
【図２】
0003135778.tif 000004
【図３】
0003135778.tif 000005
【図４】
0003135778.tif 000006
【図５】
0003135778.tif 000007
【図６】
0003135778.tif 000008
【図７】
0003135778.tif 000009